(57)【要約】【課題】掃除後に、容易に、かつ手を汚さずに衛生的に粘着テープを剥がすことのできる掃除用粘着ロールを提供することを目的とする。【解決手段】巻き付けた状態で  ３６０°超えとなる粘着テープ枚葉片Ｐを複数枚順次積層してロール状とし、かつ粘着テープ枚葉片Ｐの各々の先端Ａにつまみ用剥離片５を付設する。剥離片５が、各々の粘着テープ枚葉片Ｐの先端Ａの左右いずれか一方に付設されている。【選択図】  図２
2004275197.tif 000002
【特許請求の範囲】
【請求項１】
巻き付けた状態で  ３６０°超えとなる粘着テープ枚葉片（Ｐ）を複数枚順次積層してロール状とし、かつ該粘着テープ枚葉片（Ｐ）の各々の先端（Ａ）につまみ用剥離片（５）を付設したことを特徴とする掃除用粘着ロール。
【請求項２】
剥離片（５）が、各々の粘着テープ枚葉片（Ｐ）の先端（Ａ）の左右いずれか一方に付設されている請求項１記載の掃除用粘着ロール。
【請求項３】
積層された隣合う２枚の粘着テープ枚葉片（Ｐ）（Ｐ）の先端（Ａ）（Ａ）には、剥離片（５）（５）が左右交互に付設されている請求項１記載の掃除用粘着ロール。
【請求項４】
剥離片（５）が付設された粘着テープ枚葉片（Ｐ）の先端（Ａ）には、上記剥離片（５）の円周方向の幅寸法（Ｌ５  ）と略等しい円周幅寸法（Ｌ８  ）の増厚粘着層部（８）を有する請求項１，２又は３記載の掃除用粘着ロール。
【請求項５】
積層された隣合う粘着テープ枚葉片（Ｐ）（Ｐ）の２枚の剥離片（５）（５）が重ならないように順次円周方向へ位置をずらせた請求項１，２，３又は４記載の掃除用粘着ロール。
【発明の詳細な説明】
【０００１】
【発明の属する技術分野】
本発明は、掃除用粘着ロールに関する。
【０００２】
【従来の技術】
従来の掃除用粘着ロールは、合成樹脂や紙製のシートの一方の面に粘着剤を塗布し、他方の面に離型剤を塗布して、ロール状に巻かれたものが知られている。そして、切り目が部分的に形成されている（例えば、特許文献１参照）。
【０００３】
【特許文献１】
特開平９−１９２０７０号公報
【０００４】
【発明が解決しようとする課題】
この従来の粘着ロールは、掃除後に粘着シートをめくり取るために、ゴミを粘着した部分をつまむ必要があるので、手が汚れてしまう。また、最外方に巻かれている粘着シートの端をつまんで切り目から裂きつつ、枚葉片として、テープロールから剥がすのに手間が掛かり、切り目に沿って切断することができないことも多く、シートのゴミを粘着した部分だけを上手く剥がし取るのが困難である。
【０００５】
そこで、本発明は、掃除後に、容易に、かつ手を汚さずに衛生的に粘着テープを剥がすことのできる掃除用粘着ロールを提供することを目的とする。
【０００６】
【課題を解決するための手段】
上述の目的を達成するために、本発明に係る掃除用粘着ロールは、巻き付けた状態で  ３６０°超えとなる粘着テープ枚葉片を複数枚順次積層してロール状とし、かつ該粘着テープ枚葉片の各々の先端につまみ用剥離片を付設している。
【０００７】
また、剥離片が、各々の粘着テープ枚葉片の先端の左右いずれか一方に付設されている。
あるいは、積層された隣合う２枚の粘着テープ枚葉片の先端には、剥離片が左右交互に付設されている。
【０００８】
また、剥離片が付設された粘着テープ枚葉片の先端には、上記剥離片の円周方向の幅寸法と略等しい円周幅寸法の増厚粘着層部を有する。
さらに、積層された隣合う粘着テープ枚葉片の２枚の剥離片が重ならないように順次円周方向へ位置をずらせている。
【０００９】
【発明の実施の形態】
以下、実施の形態を示す図面に基づき、本発明を詳説する。
【００１０】
図１は本発明の第１の実施の形態を示す斜視図で、図２は平面図を示し、図３は図２のＸ−Ｘ矢視断面図を示し、図４は図２のＹ−Ｙ矢視断面図を示す。図１〜図４のように、本発明の掃除用粘着ロール４は、掃除用ロール器１に着脱自在に取付けて使用されるものであり、カーペット，床，絨毯，畳等の上を回転して塵，糸屑，紙屑，埃等のゴミを粘着する。そして、このロール器１は、粘着ロール４と、粘着ロール４の軸心に固設されて粘着ロール４とともに回転するロール芯固着具７と、ロール芯固着具７の軸心に回転可能に枢支されるアーム部材２と、アーム部材２の先端側に配設されて使用者に握られる握り部３と、を備えている。粘着ロール４は、巻き付けた状態で  ３６０°超えとなる粘着テープ枚葉片Ｐ１  ，Ｐ２  ，Ｐ３  …を筒状ロール芯６廻りに積層してロール状に構成する。この粘着テープ枚葉片Ｐ１  ，Ｐ２  ，Ｐ３  …の各々の先端Ａ１  ，Ａ２  ，Ａ３  …の表て面１１につまみ用剥離片５が部分的に重ね状に付設される。有底短円筒状の一対のロール芯固着具７，７は、ロール芯６の左右両端に嵌着して固着される。
【００１１】
粘着ロール４には、粘着テープ枚葉片Ｐ１  ，Ｐ２  ，Ｐ３  …が外側から内側へ順に巻き付けて貼着される。具体例として、粘着テープ枚葉片Ｐ１  ，Ｐ２  について説明する。粘着テープ枚葉片Ｐ１  の先端Ａ１  の表て面１１には、左右どちらかに（図では、アーム部材２が差込まれる側に）つまみ用剥離片５が付設される。また、粘着テープ枚葉片Ｐ１  は、巻き付けた状態で  ３６０°超えとなるので、先端Ａ１  側の裏面１２と他端Ｂ１  側の表て面１１の（後述する）重複部１０とが貼着されるようにして、巻き付けられる。展開した粘着テープ枚葉片Ｐ１  が、図５（イ）に示されており、重複部１０の円周方向の幅寸法Ｋは、  ０．５ｃｍ乃至  １．５ｃｍである。同様に、展開した粘着テープ枚葉片Ｐ２  が、図５（ロ）に示される。
【００１２】
粘着テープ枚葉片Ｐ２  の先端Ａ２  （の表て面１１）には、つまみ用剥離片５が、粘着テープ枚葉片Ｐ１  の剥離片５と左右が逆になるように（図では、アーム部材２が差込まれていない側に）、付設される。そして、先端Ａ２  側の裏面１２と他端Ｂ２  側の表て面１１の重複部１０とが貼着されるようにして、巻き付けられる。剥離片５は、軸方向に所定幅寸法Ｄを有しかつ円周方向に所定幅寸法Ｌ５  を有する長方形状又は正方形状であり、材質は、一面を剥離処理したプラスチックや板紙とするのが好ましく、厚さ寸法Ｔ５  は０．０１ｍｍ乃至  ０．３ｍｍとする。また、上記幅寸法Ｄはロール４の軸心方向寸法の５％〜５０％とする。
【００１３】
粘着テープ枚葉片Ｐ１  ，Ｐ２  の表て面１１，１１は、先端Ａ１  ，Ａ２  から（剥離片５の円周方向の幅寸法Ｌ５  と略等しい）円周幅寸法Ｌ８  の範囲内のうち剥離片５が付設されない面に於て、（図１〜図７に於て、点々で示す）増厚粘着層部８を有する。この増厚粘着層部８は、粘着テープ枚葉片Ｐ１  ，Ｐ２  の表て面１１，１１上に粘着剤が増積されたもので、剥離片５の厚さ寸法Ｔ５  と略等しい厚さ寸法Ｔ８  を有している。即ち、粘着テープ枚葉片Ｐ１  ，Ｐ２  は、先端Ａ１  ，Ａ２  から円周方向の所定幅寸法Ｌ５  （＝Ｌ８  ）までの全ての範囲内に於て、所定厚さ寸法Ｔ５  （＝Ｔ８  ）を有する。
【００１４】
円周幅寸法Ｌ５  は、  １．０ｃｍ乃至  ２．５ｃｍが好ましく、重複幅寸法Ｋと略同一とする。あるいは重複幅寸法Ｋを円周幅寸法Ｌ５  よりも小さく設定して、粘着テープ枚葉片Ｐの無駄になる（ゴミを粘着しない）範囲を少なくするのもよい。
【００１５】
図５に於て、Ｃは、粘着テープ枚葉片Ｐ１  を巻き付けた場合の（  ３６０°の）１周の周囲長さである。なお、巻き付けられた粘着テープ枚葉片Ｐ１  ，Ｐ２  ，Ｐ３  …の（側面視に於ける）直径は、外周側から内周側へ順に小さくなるので、周囲長さＣも、同順に短くすると、粘着テープ枚葉片Ｐの無駄になる（ゴミを粘着しない）範囲が少なくなる。粘着テープ枚葉片Ｐ２  ，Ｐ３  …も、上述した粘着テープ枚葉片Ｐ１  ，Ｐ２  の積層パターンと同様に積層されていく。
【００１６】
図６は第２の実施の形態を示す平面図であり、第１の実施の形態との相違点は、全ての粘着テープ枚葉片Ｐ１  ，Ｐ２  …の先端Ａ１  ，Ａ２  …の表て面１１には、左右いずれか一方に（図では、アーム部材２が差込まれる側に）つまみ用剥離片５が付設される点で、それ以外は、同じ構造である。
【００１７】
また、図７は第３の実施の形態を示す平面図であり、第１の実施の形態との相違点は、剥離片５の軸方向の幅寸法Ｄが、粘着テープ枚葉片Ｐの軸方向の幅寸法の半分の値となる点である。また、粘着テープ枚葉片Ｐは、（図示例では）先端Ａから円周方向の所定幅寸法Ｌまでの範囲内のうち剥離片５が付設されない面に於て、剥離片５の厚さ寸法Ｔ５  と略等しい厚さ寸法Ｔ８  の増厚粘着層部８を有する。なお、図示省略するが、この範囲内に剥離片５だけが付設され増厚粘着層部８が備えられないのもよい。
【００１８】
本発明の第１，第２及び第３の実施の形態の粘着ロール４を有するロール器１をカーペット，床，絨毯，畳等の上で回転して、塵，糸屑，紙屑，埃等のゴミが粘着テープ枚葉片Ｐ１  に粘着して掃除され、粘着能力が低下したら、剥離片５を手でめくり、粘着テープ枚葉片Ｐ１  が粘着ロール４からめくり取られる。粘着テープ枚葉片Ｐ１  ，Ｐ２  …は互いに重なり合うことなく独立しており、剥離片５を手で持って粘着ロール４から引張ると、ロール４が回転して、粘着テープ枚葉片Ｐ１  のみがめくり取られ、次の粘着テープ枚葉片Ｐ２  は連られてめくり取られることがない。次には、粘着テープ枚葉片Ｐ２  が粘着ロール４の最外面になり、同様にゴミ掃除が行われる。
【００１９】
上述のように、本発明の粘着ロール４を有するロール器１によって、カーペット，床，絨毯，畳等の塵，糸屑，紙屑，埃等のゴミを掃除をしても、剥離片５はゴミを粘着しないので、剥離片５をつまめば手を汚すことなく粘着テープ枚葉片Ｐをめくり取ることができる。粘着テープ枚葉片Ｐ１  ，Ｐ２  …は互いに独立しており重なり合っていないので、剥離片５を手でつまんで粘着ロール４から引っ張れば、隣の粘着テープ枚葉片Ｐが引き続いて不意にめくり取られることがないので、粘着テープ枚葉片Ｐをロール４から容易にめくり取ることができる。よって、掃除後の手間が省け、衛生的である。
【００２０】
また、ゴミを粘着しない剥離片５は、手でつまむために最低限の面積だけを有し、粘着テープ枚葉片Ｐの先端Ａの左右いずれか一方に付設されるので、粘着テープ枚葉片Ｐの表て面１１は、粘着可能な面積を十分に備える。粘着テープ枚葉片Ｐの表て面１１は、先端Ａから（剥離片５の円周方向の幅寸法Ｌ５  と略等しい）円周幅寸法Ｌ８  の範囲内のうち剥離片５が付設されない面に於ても、剥離片５の厚さ寸法Ｔ５  と略等しい厚さ寸法Ｔ８  の増厚粘着層部８を有しているので、剥離片５の付設された粘着テープ枚葉片Ｐの軸方向の表て面１１に段差ができることはないので、本発明の粘着ロール器１は、平坦面を滑らかに回転してゴミを掃除することができる。さらに、隣り合う粘着テープ枚葉片Ｐ，Ｐは、夫々の２片の剥離片５，５が重ならないように積層されるので、粘着ロール４に複数枚の粘着テープ枚葉片Ｐ，Ｐ…が積層されても、粘着テープ枚葉片Ｐの円周方向に段差ができることはないので、本発明の粘着ロール器１は、略真円形表面であって凹凸が生じないで、平坦面を滑らかに回転してゴミを掃除することができる。
【００２１】
【発明の効果】
本発明は、上述の構成により次のような著大な効果を奏する。
【００２２】
（請求項１によれば、）粘着ロールは、（長尺ではなく）粘着テープ枚葉片Ｐ…をロール状に重ねて巻いたので、確実に、かつ正確に順次一枚ずつ分離して（使用後）捨てることができる。また、カーペット，床，絨毯，畳等の塵，糸屑，紙屑，埃等のゴミを掃除した後、剥離片５をつまめば手を汚すことなく粘着テープ枚葉片Ｐをめくり取ることができる。また、この剥離片５は、粘着テープ枚葉片Ｐを粘着ロールからめくり易く、また、粘着テープ枚葉片Ｐ…は互いに独立しており重なり合っていないので、剥離片５を手でつまんで粘着ロールから引っ張れば、ロールが回転して粘着テープ枚葉片Ｐを容易にめくり取ることができる。よって、掃除後の手間が省け、効率よく掃除ができ、衛生的である。
【００２３】
（請求項２，３によれば、）ゴミを粘着しない剥離片５は、手でつまむために最低限の面積だけを有し、粘着テープ枚葉片Ｐの先端Ａの左右いずれか一方に付設されるので、粘着テープ枚葉片Ｐの表て面は、粘着可能な面積を十分に備える。
【００２４】
（請求項４によれば、）剥離片５の付設された粘着テープ枚葉片Ｐの軸方向の表て面に段差ができることはないので、粘着ロール全体の外周面に凹凸がほとんど発生せず、平坦面を滑らかに回転してムラなくゴミを掃除することができる。
【００２５】
（請求項５によれば、）粘着ロールに複数枚の粘着テープ枚葉片Ｐ…が積層されても、粘着テープ枚葉片Ｐの円周方向に凹凸がほとんど発生しないので、平坦面全体からムラなくゴミを掃除することができる。
【図面の簡単な説明】
【図１】本発明の第１の実施の形態を示す斜視図である。
【図２】要部拡大平面図である。
【図３】図２のＸ−Ｘ矢視断面図である。
【図４】図２のＹ−Ｙ矢視断面図である。
【図５】粘着テープの展開図である。
【図６】本発明の第２の実施の形態を示す要部拡大平面図である。
【図７】本発明の第３の実施の形態を示す要部拡大平面図である。
【符号の説明】
５  剥離片
８  増厚粘着層部
Ａ  （粘着テープの）先端
Ｌ  （円周方向）幅寸法
Ｐ  粘着テープ枚葉片
【図１】
2004275197.tif 000003
【図２】
2004275197.tif 000004
【図３】
2004275197.tif 000005
【図４】
2004275197.tif 000006
【図５】
2004275197.tif 000007
【図６】
2004275197.tif 000008
【図７】
2004275197.tif 000009